(57)【要約】【課題】  ブロードキャストデータ又はマルチキャストデータを受信可能な移動局ＭＳの数を測定することによって、当該移動局ＭＳの数に応じたサービスを提供することができる移動通信方法及び無線制御装置ＲＮＣを提供する。【解決手段】  本発明は、複数のセルによって構成される位置登録エリアを管理する無線制御装置ＲＮＣに関する。本発明に係る無線制御装置ＲＮＣは、移動局ＭＳから位置登録エリアに対する位置登録情報を受信する位置登録情報受信部１１と、移動局ＭＳの受信能力を取得する受信能力取得部１２と、位置登録情報と受信能力とに基づいて、位置登録エリアにおいて、ブロードキャストデータ又はマルチキャストデータを受信可能な移動局ＭＳの数を測定する測定部１４とを具備する。【選択図】  図３
2005065261.tif 000002
【特許請求の範囲】
【請求項１】
複数のセルによって構成される位置登録エリアを管理する無線制御装置であって、
移動局から前記位置登録エリアに対する位置登録情報を受信する位置登録情報受信部と、
前記移動局の受信能力を取得する受信能力取得部と、
前記位置登録情報と前記受信能力とに基づいて、前記位置登録エリアにおいて、ブロードキャストデータ又はマルチキャストデータを受信可能な移動局の数を測定する測定部とを具備することを特徴とする無線制御装置。
【請求項２】
複数のセルによって構成される位置登録エリアを管理する無線制御装置であって、
移動局から前記位置登録エリアに対する位置登録情報を受信する位置登録情報受信部と、
前記位置登録情報に基づいて、前記位置登録エリアにおいて、ブロードキャストデータを受信可能な移動局の数及びマルチキャストデータを受信可能な移動局の数を測定する測定部とを具備することを特徴とする無線制御装置。
【請求項３】
複数のセルによって構成される位置登録エリアを管理する無線制御装置と前記位置登録エリアに在圏する移動局との間で行われる移動通信方法であって、
前記移動局が、所定のタイミングで、前記位置登録エリアに対する位置登録情報を送信する工程と、
前記無線制御装置が、前記移動局の受信能力を取得する工程と、
前記無線制御装置が、前記位置登録情報と前記受信能力とに基づいて、前記位置登録エリアにおいて、ブロードキャストデータ又はマルチキャストデータを受信可能な移動局の数を測定する工程とを有することを特徴とする移動通信方法。
【請求項４】
複数のセルによって構成される位置登録エリアを管理する無線制御装置と前記位置登録エリアに在圏する移動局との間で行われる移動通信方法であって、
前記移動局が、所定のタイミングで、前記位置登録エリアに対する位置登録情報を送信する工程と、
前記無線制御装置が、前記位置登録情報に基づいて、前記位置登録エリアにおいて、ブロードキャストデータを受信可能な移動局の数及びマルチキャストデータを受信可能な移動局の数を測定する工程とを有することを特徴とする移動通信方法。
【発明の詳細な説明】
【技術分野】
【０００１】
本発明は、複数のセルによって構成される位置登録エリアを管理する無線制御装置と前記位置登録エリアに在圏する移動局との間で行われる移動通信方法、及び、当該移動通信方法に用いられる無線制御装置に関する。
【背景技術】
【０００２】
従来から、移動通信システムでは、ネットワーク側において、空間的に移動する移動局との間の接続を自動的に行うために、当該移動局の位置情報について常に把握している必要がある。
【０００３】
そのため、移動局は、図６に示すように、複数のセルによって構成される位置登録エリア単位で、当該移動局の位置情報をネットワークに登録するように構成されている。具体的には、移動局は、基地局からの信号によって、在圏する位置登録エリアが変更したことを検知した場合（例えば、図６のポイントＡ）、自局内に登録されている位置情報を更新すると共に、その旨をネットワークに通知する。また、移動局は、電源をオンにした場合、基地局からの信号によって、再び自局内に登録されている位置情報を確認し、在圏する位置登録エリアが変更されている場合は、新しい位置情報をネットワークに登録する。
【非特許文献１】“ＴＥＣＨＮＯＬＯＧＹ”、［ｏｎｌｉｎｅ］、株式会社エヌ・ティ・ティ・ドコモ、［平成１５年７月２８日検索］、インターネット  ＜ＵＲＬ:ｈｔｔｐ://ｗｗｗ.ｎｔｔｄｏｃｏｍｏ.ｃｏ.ｊｐ/ｃｏｒｐｏｒａｔｅ/ｒｄ/ｔｅｃｈ/ｃｅｌｌ０３.ｈｔｍｌ＞
【発明の開示】
【発明が解決しようとする課題】
【０００４】
しかしながら、従来の移動通信システムでは、複数の移動局に対して同一情報を送信するブロードキャスト伝送システム又はマルチキャスト伝送システムにおいて、ブロードキャストデータ又はマルチキャストデータを受信可能な移動局の数を測定する手段がないという問題点があった。
【０００５】
そこで、本発明は、以上の点に鑑みてなされたもので、ブロードキャストデータ又はマルチキャストデータを受信可能な移動局の数を測定することによって、当該移動局の数に応じたサービスを提供することができる移動通信方法及び無線制御装置を提供することを目的とする。
【課題を解決するための手段】
【０００６】
本発明の第１の特徴は、複数のセルによって構成される位置登録エリアを管理する無線制御装置であって、移動局から前記位置登録エリアに対する位置登録情報を受信する位置登録情報受信部と、前記移動局の受信能力を取得する受信能力取得部と、前記位置登録情報と前記受信能力とに基づいて、前記位置登録エリアにおいて、ブロードキャストデータ又はマルチキャストデータを受信可能な移動局の数を測定する測定部とを具備することを要旨とする。
【０００７】
本発明の第２の特徴は、複数のセルによって構成される位置登録エリアを管理する無線制御装置であって、移動局から前記位置登録エリアに対する位置登録情報を受信する位置登録情報受信部と、前記位置登録情報に基づいて、前記位置登録エリアにおいて、ブロードキャストデータを受信可能な移動局の数及びマルチキャストデータを受信可能な移動局の数を測定する測定部とを具備することを要旨とする。
【０００８】
本発明の第１及び第２の特徴において、測定された前記移動局の数に応じて、前記ブロードキャストデータ又は前記マルチキャストデータを、個別チャネルで送信するか、又は、共通チャネルで送信するかを決定する決定部を具備するように構成されていてもよい。
【０００９】
本発明の第３の特徴は、複数のセルによって構成される位置登録エリアを管理する無線制御装置と前記位置登録エリアに在圏する移動局との間で行われる移動通信方法であって、前記移動局が、所定のタイミングで、前記位置登録エリアに対する位置登録情報を送信する工程と、前記無線制御装置が、前記移動局の受信能力を取得する工程と、前記無線制御装置が、前記位置登録情報と前記受信能力とに基づいて、前記位置登録エリアにおいて、ブロードキャストデータ又はマルチキャストデータを受信可能な移動局の数を測定する工程とを有することを要旨とする。
【００１０】
本発明の第４の特徴は、複数のセルによって構成される位置登録エリアを管理する無線制御装置と前記位置登録エリアに在圏する移動局との間で行われる移動通信方法であって、前記移動局が、所定のタイミングで、前記位置登録エリアに対する位置登録情報を送信する工程と、前記無線制御装置が、前記位置登録情報に基づいて、前記位置登録エリアにおいて、ブロードキャストデータを受信可能な移動局の数及びマルチキャストデータを受信可能な移動局の数を測定する工程とを有することを要旨とする。
【発明の効果】
【００１１】
以上説明したように、本発明によれば、ブロードキャストデータ又はマルチキャストデータを受信可能な移動局の数を測定することによって、当該移動局の数に応じたサービスを提供することができる移動通信方法及び無線制御装置を提供することができる。
【発明を実施するための最良の形態】
【００１２】
（本発明の第１の実施形態に係る移動通信システムの構成）
図１及び図２を参照して、本発明の第１の実施形態における移動通信システムの構成について説明する。なお、本実施形態に係る移動通信システムは、無線制御装置ＲＮＣが報知チャネルを用いて所定グループに属する移動局ＭＳに対してブロードキャストデータ及びマルチキャストデータを送信するＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を提供するように構成されている。
【００１３】
図１に示すように、本実施形態に係る移動通信システムは、複数の無線制御装置ＲＮＣと、複数の基地局ＢＳとを具備する。各無線制御装置ＲＮＣは、複数のセルによって構成される位置登録エリアを管理するものであり、各基地局ＢＳは、各セルを管理するものである。
【００１４】
本実施形態に係る移動通信システムでは、位置登録エリア＃１を管理する無線制御装置ＲＮＣ＃１の配下に移動局ＭＳ＃１及びＭＳ＃２が在圏しており、位置登録エリア＃２を管理する無線制御装置ＲＮＣ＃２の配下に移動局ＭＳ＃３及びＭＳ＃４が在圏している。
【００１５】
図２に、本実施形態に係る移動通信システムを構成する無線制御装置ＲＮＣの機能ブロックを示す。無線制御装置ＲＮＣ＃１及び無線制御装置ＲＮＣ＃２は、同一の構成を具備するものであるため、以下、無線制御装置ＲＮＣ＃１の構成について説明する。
【００１６】
図２に示すように、無線制御装置ＲＮＣ＃１は、位置登録情報受信部１１と、受信能力取得部１２と、受信能力判断部１３と、受信可能在圏者数カウント部１４と、サービス提供部１５とを具備している。
【００１７】
位置登録情報受信部１１は、移動局ＭＳ＃１及びＭＳ＃２から位置登録エリア＃１に対する位置登録情報を受信するように構成されている。ここで、位置登録情報受信部１１は、かかる位置登録情報として、移動局ＭＳ＃１及びＭＳ＃２が電源をＯＮにした場合や位置登録エリア＃１内に移動してきた場合にコアネットワーク宛てに送信する位置登録情報を受信してもよいし、移動局ＭＳ＃１及びＭＳ＃２が本発明の機能を実現するために無線制御装置ＲＮＣ＃１宛てに送信する位置登録情報を受信してもよい。
【００１８】
受信能力取得部１２は、移動局ＭＳ＃１及びＭＳ＃２の受信能力を取得するように構成されている。例えば、移動局ＭＳの受信能力としては、インストールされているアプリケーションの種類や、加入しているサービスの種類や、無線通信速度（当該無線通信速度のデータを受信可能なメモリ容量）や、ＣＯＤＥＣの種類や、符号化方法及び復号方法等が考えられる。
【００１９】
また、受信能力取得部１２は、位置登録情報受信部１１により受信された位置登録情報から移動局ＭＳの受信能力を抽出するように構成されていてもよいし、移動局ＭＳから位置登録情報とは別個に移動局ＭＳの受信能力を受信するように構成されていてもよい。
【００２０】
例えば、受信能力取得部１２は、移動局ＭＳと無線制御装置ＲＮＣとの間でＲＲＣ（Ｒａｄｉｏ  Ｒｅｓｏｕｒｃｅ  Ｃｏｎｔｒｏｌ）コネクションを設定するために用いられる「ＲＲＣコネクション要求（ＲＲＣ  Ｃｏｎｎｅｃｔｉｏｎ  Ｒｅｑｕｅｓｔ）」を介して移動局ＭＳの受信能力を受信するように構成されていてもよいし、所定のシグナリングを用いて移動局ＭＳの受信能力を受信するように構成されていてもよい。
【００２１】
受信能力判断部１３は、受信能力取得部１２により取得された移動局ＭＳの受信能力に基づいて、当該移動局が、ブロードキャストデータ又はマルチキャストデータを受信可能であるか否かについて判断するように構成されている。
【００２２】
例えば、受信能力判断部１３は、所定のアプリケーションがインストールされている移動局ＭＳや、所定のサービスに加入している移動局ＭＳや、所定速度以上の無線通信速度に対応可能な移動局ＭＳについて、ブロードキャストデータ又はマルチキャストデータを受信可能であると判断することができる。
【００２３】
受信可能在圏者数カウント部１４は、位置登録情報受信部１１により受信された位置登録情報と受信能力取得部１２により取得された移動局ＭＳの受信能力とに基づいて、位置登録エリア＃１において、ブロードキャストデータ又はマルチキャストデータを受信可能な移動局の数（受信可能在圏者数）を測定するように構成されている。
【００２４】
本実施形態において、移動局ＭＳ＃１は、マルチキャストデータを受信可能な移動局であり、移動局ＭＳ＃２は、ブロードキャストデータ及びマルチキャストデータを受信する能力を有しない移動局であるとすると、上述の受信可能在圏者数は「１」となる。
【００２５】
サービス提供部１５は、受信可能在圏者数カウント部１４によって測定された受信可能在圏者数に応じて、位置登録エリア＃１に在圏している移動局ＭＳに対して所定のサービスを提供するように構成されている。
【００２６】
例えば、サービス提供部１５は、受信可能在圏者数カウント部１４によって測定された受信可能在圏者数に応じて、ブロードキャストデータ又はマルチキャストデータを、個別チャネルで送信するか、共通チャネルで送信するか、又は、送信しないかを決定することができる。
【００２７】
例えば、サービス提供部１５は、上述の受信可能在圏者数が第１の所定数より多ければ、ブロードキャストデータ又はマルチキャストデータを共通チャネルで送信し、上述の受信可能在圏者数が第１の所定数以下であれば、ブロードキャストデータ又はマルチキャストデータを個別チャネルで送信することができる。また、サービス提供部１５は、上述の受信可能在圏者数が第２の所定数以下であれば、ブロードキャストデータ又はマルチキャストデータを送信しないように構成することができる。
【００２８】
また、サービス提供部１５は、上述の受信可能在圏者数が第１の所定数より多ければ、所定情報を一斉同報することができる。
【００２９】
（本発明の第１の実施形態に係る移動通信システムの動作）
図３を参照して、本発明の第１の実施形態に係る移動通信システムの動作について説明する。図３の例では、本実施形態に係る移動通信システムが、位置登録エリア＃１内の受信可能在圏者数を測定する際の動作について説明する。
【００３０】
図３に示すように、ステップ１０１ａにおいて、セル＃１に在圏する移動局ＭＳ＃１が、当該セル＃１を管理する基地局ＢＳ＃１に対して位置登録情報を送信し、ステップ１０１ｂにおいて、セル＃２に在圏する移動局ＭＳ＃２が、当該セル＃２を管理する基地局ＢＳ＃２に対して位置登録情報を送信する。ここで、移動局ＭＳ＃１及びＭＳ＃２は、周期的に、例えば、１分毎に又は３０分毎に、位置登録情報を送信するように構成されていてもよい。
【００３１】
ステップ１０２ａにおいて、基地局ＢＳ＃１は、移動局ＭＳ＃１からの位置登録情報を無線制御装置ＲＮＣ＃１に転送し、ステップ１０２ｂにおいて、基地局ＢＳ＃２は、移動局ＭＳ＃２からの位置登録情報を無線制御装置ＲＮＣ＃１に転送する。
【００３２】
ステップ１０３において、無線制御装置ＲＮＣ＃１は、基地局ＢＳ＃１及びＢＳ＃２から転送された移動局ＭＳ＃１及びＭＳ＃２の位置登録情報を受信すると共に、当該移動局ＭＳ＃１及びＭＳ＃２の位置登録情報から当該移動局ＭＳ＃１及びＭＳ＃２の受信能力を取得する。
【００３３】
ステップ１０４において、無線制御装置ＲＮＣ＃１は、位置登録情報と当該移動局ＭＳ＃１及びＭＳ＃２の受信能力とに応じて、当該移動局ＭＳ＃１及びＭＳ＃２が、ブロードキャストデータ又はマルチキャストデータを受信可能であるか否かについて判断する。本実施形態では、無線制御装置ＲＮＣ＃１は、移動局ＭＳ＃１が、マルチキャストデータを受信可能であると判断し、移動局ＭＳ＃２が、ブロードキャストデータ及びマルチキャストデータを受信することができないと判断する。
【００３４】
ステップ１０５において、無線制御装置ＲＮＣ＃１は、位置登録エリア＃１において、ブロードキャストデータ又はマルチキャストデータを受信可能な移動局の数（受信可能在圏者数）を測定する。本実施形態では、受信可能在圏者数は「１」である。
【００３５】
ステップ１０６において、無線制御装置ＲＮＣ＃１は、受信可能在圏者数が第１の所定数（例えば「５」）以下であるため、位置登録エリア＃１に在圏する移動局ＭＳ＃１に対して、ブロードキャストデータ又はマルチキャストデータを個別チャネルで送信する。
【００３６】
（本発明の第１の実施形態に係る移動通信システムの作用・効果）
本実施形態に係る移動通信システムによれば、ブロードキャストデータ又はマルチキャストデータを受信可能な移動局の数（受信可能在圏者数）を測定することによって、当該移動局の数に応じたサービスを提供することができる。
【００３７】
（本発明の第２の実施形態に係る移動通信システム）
図４を参照して、本発明の第２の実施形態に係る移動通信システムについて説明する。以下、本実施形態に係る移動通信システムについて、上述の第１の実施形態に係る移動通信システムとの相違点を主として説明する。
【００３８】
本実施形態に係る移動通信システムを構成する無線制御装置ＲＮＣ＃１は、図４に示すように、上述の第１の実施形態に係る無線制御装置ＲＮＣ＃１の構成（図２参照）に加えて、サービス識別部１６を具備している。
【００３９】
サービス識別部１６は、位置登録情報受信部１１により受信された位置登録情報と受信能力取得部１２により取得された移動局ＭＳの受信能力とに基づいて、位置登録エリア＃１において、ブロードキャストデータを受信可能な移動局ＭＳであるか否かについて、及びマルチキャストデータを受信可能な移動局ＭＳであるか否かについて判断するように構成されている。
【００４０】
なお、サービス識別部１６は、ブロードキャストデータを受信可能な移動局ＭＳに係る情報及びマルチキャストデータを受信可能な移動局ＭＳに係る情報を管理しており、位置登録情報受信部１１により受信された位置登録情報に基づいて、位置登録エリア＃１において、ブロードキャストデータを受信可能な移動局ＭＳであるか否かについて、及びマルチキャストデータを受信可能な移動局ＭＳであるか否かについて判断するように構成されていてもよい。
【００４１】
また、受信可能在圏者数カウント部１４は、サービス識別部１６による判断結果に応じて、ブロードキャストデータを受信可能な移動局ＭＳの数及びマルチキャストデータを受信可能な移動局ＭＳの数を測定するように構成されている。
【００４２】
また、サービス提供部１５は、ブロードキャストデータを受信可能な移動局の数に応じてブロードキャストサービスを提供し、マルチキャストデータを受信可能な移動局の数に応じてマルチキャストサービスを提供する。
【００４３】
例えば、サービス提供部１５は、受信可能在圏者数カウント部１４によって測定されたブロードキャストデータを受信可能な移動局ＭＳの数に応じて、ブロードキャストデータを、個別チャネルで送信するか、共通チャネルで送信するか、又は、送信しないかについて決定することができる。
【００４４】
また、サービス提供部１５は、受信可能在圏者数カウント部１４によって測定されたマルチキャストデータを受信可能な移動局ＭＳの数に応じて、マルチキャストデータを、個別チャネルで送信するか、共通チャネルで送信するか、又は、送信しないかについて決定することができる。
【００４５】
また、サービス提供部１５は、所定の位置登録エリアに在圏する移動局ＭＳがブロードキャストデータ又はマルチキャストデータを受信可能である確率を考慮して、ブロードキャストデータ又はマルチキャストデータを、個別チャネルで送信するか、共通チャネルで送信するか、送信しないかについて決定してもよい。
【００４６】
例えば、位置登録エリア＃１に在圏する移動局ＭＳが５０％以上の確率でブロードキャストデータ又はマルチキャストデータを受信可能である場合、サービス提供部１５は、上述の受信可能在圏者数が第１の所定数（例えば、１００）の２倍（例えば、２００）より多ければ、ブロードキャストデータ又はマルチキャストデータを共通チャネルで送信し、上述の受信可能在圏者数が第１の所定数の２倍以下であれば、ブロードキャストデータ又はマルチキャストデータを個別チャネルで送信するか、又は、送信しないように構成されていてもよい。
【００４７】
図５を参照して、本発明の第２の実施形態に係る移動通信システムの動作について説明する。図５の例では、本実施形態に係る移動通信システムが、位置登録エリア＃１内の受信可能在圏者数を測定する際の動作について説明する。
【００４８】
図５に示すステップ２０１ａ乃至ステップ２０３は、上述の図３に示すステップ１０１ａ乃至ステップ１０３と同一の動作である。
【００４９】
ステップ２０４において、無線制御装置ＲＮＣ＃１は、位置登録情報と当該移動局ＭＳ＃１及びＭＳ＃２の受信能力とに応じて、当該移動局ＭＳ＃１及びＭＳ＃２が、ブロードキャストデータを受信可能であるか、及びマルチキャストデータを受信可能であるか否かについて判断する。
【００５０】
ステップ２０５において、無線制御装置ＲＮＣ＃１は、位置登録エリア＃１において、ブロードキャストデータを受信可能な移動局の数（受信可能在圏者数）、及びマルチキャストデータを受信可能な移動局の数（受信可能在圏者数）を測定する。
【００５１】
ステップ２０６において、無線制御装置ＲＮＣ＃１は、ブロードキャストデータを受信可能な移動局の数に応じてブロードキャストサービスを提供し、マルチキャストデータを受信可能な移動局の数に応じてマルチキャストサービスを提供する。
【図面の簡単な説明】
【００５２】
【図１】本発明に係る移動通信システムの全体構成図である。
【図２】本発明の第１の実施形態に係る無線制御装置の機能ブロック図である
【図３】本発明の第１の実施形態に係る移動通信システムの動作を示すシーケンス図である。
【図４】本発明の第２の実施形態に係る無線制御装置の機能ブロック図である
【図５】本発明の第２の実施形態に係る移動通信システムの動作を示すシーケンス図である。
【図６】従来の移動通信システムにおける位置登録を説明するための図である。
【符号の説明】
【００５３】
ＢＳ…基地局
ＭＳ…移動局
ＲＮＣ…無線制御装置
１１…位置登録情報受信部
１２…受信能力取得部
１３…受信能力判断部
１４…受信可能在圏者数カウント部
１５…サービス提供部
１６…サービス識別部
【図１】
2005065261.tif 000003
【図２】
2005065261.tif 000004
【図３】
2005065261.tif 000005
【図４】
2005065261.tif 000006
【図５】
2005065261.tif 000007
【図６】
2005065261.tif 000008